(57)【要約】【課題】夕日を背景としていることを判定可能とし、小型化が可能なリモートコントロールカメラを提供する。【解決手段】被写体からの可視光を受けてそれに応じた信号と、カメラ外部からのリモートコントロール信号光を受けてそれに応じた信号とを出力可能である一つの受光素子と、上記受光素子から出力される上記可視光に応じた信号に基づいて第１の測光値を出力する第１の測光手段と、上記受光素子から出力される上記リモートコントロール信号光に応じた信号に基づいて第２の測光値を出力する第２の測光手段と、上記第１及び第２の測光手段から出力される上記第１及び第２の測光値を比較し、上記可視光に応じた信号に基づいて得られた上記第１の測光値より上記リモートコントロール信号光に応じた信号に基づいて得られた上記第２の測光値が所定値以上大きい場合に夕日を背景としていると判断する制御手段と、を有することを特徴とするリモートコントロールカメラが提供される。【選択図】    図４
2004177975.tif 000002
【特許請求の範囲】
【請求項１】
被写体からの可視光を受けてそれに応じた信号と、カメラ外部からのリモートコントロール信号光を受けてそれに応じた信号とを出力可能である一つの受光素子と、
上記受光素子から出力される上記可視光に応じた信号に基づいて第１の測光値を出力する第１の測光手段と、
上記受光素子から出力される上記リモートコントロール信号光に応じた信号に基づいて第２の測光値を出力する第２の測光手段と、
上記第１及び第２の測光手段から出力される上記第１及び第２の測光値を比較し、上記可視光に応じた信号に基づいて得られた上記第１の測光値より上記リモートコントロール信号光に応じた信号に基づいて得られた上記第２の測光値が所定値以上大きい場合に夕日を背景としていると判断する制御手段と、
を有することを特徴とするリモートコントロールカメラ。
【請求項２】
上記制御手段は、上記第１の測光値をＢ２とし、上記第２の測光値をＢ１とし、αを撮影条件としての赤外光が所定値より強い状況かどうかを判定するための係数とするとき、Ｂ１＞α×Ｂ２が成立するときには、赤外光が所定値より強いとして、夕日を背景としていると判断することを特徴とする請求項１記載のリモートコントロールカメラ。
【請求項３】
上記制御手段は、夕日を背景としていると判断したときには、撮影モードを夕景モードに設定して露出をアンダーの露出に設定する手段を含むことを特徴とする請求項１または２記載のリモートコントロールカメラ。
【発明の詳細な説明】
【技術分野】
【０００１】
本発明は、カメラ外部からカメラの動作を操作するためのリモートコントロール機能を備えたリモートコントロールカメラに係り、特に、夕日を背景としていることを判定可能としたリモートコントロールカメラに関する。
【背景技術】
【０００２】
撮影者が自分の姿を撮影したい場合などに用いる、いわゆる、セルフ撮影のための技術としては、古くからセルフタイマなどが知られている。ところで、近年、電子回路技術や光半導体などの技術の進歩により、より操作が容易でシャッタチャンスを逃すことがないリモートコントロール機能付のカメラが普及している。
【０００３】
このリモートコントロール機能付のカメラでは、一般的にリモートコントロール送信機から赤外光のリモートコントロール信号光を送信し、カメラ側でこのリモートコントロール信号光を受光してレリーズタイミングの決定を行うようにしている。しかし、遠くから上記リモートコントロール信号光を十分に受光するためには、リモートコントロール信号光の受光用レンズを大きくする必要があった。
【０００４】
一方、カメラには小型化のトレンドがあり、上述のようにリモートコントロール信号光を十分に受光するためにリモートコントロール信号光の受光用レンズを大きくすると、他の機能を削除したり、低下させたりしなければならないという問題が生じた。
【０００５】
このような小型化への対策として、例えば、特許文献１によれば、カメラのファインダの対物レンズとオートフォーカス（ＡＦ）用のレンズを共用することにより、カメラボディ前面のレンズの数を減らすという手法が提案されている。
【特許文献１】特開昭５８−１００８４０号公報
【発明の開示】
【発明が解決しようとする課題】
【０００６】
しかしながら、上記特許文献１による手法では、ＡＦ用の測距用光は鋭いスポット形状で被写体に投射する必要があり、これを満足させつつ、ファインダの色収差等の問題を解決する設計を行うことは非常に困難なものとなっている。さらに、上記手法では、リモートコントロールに関しては何等ふれられていない。
【０００７】
本発明は、上記の事情に鑑みてなされたもので、夕日を背景としていることを判定可能とし、小型化が可能なリモートコントロールカメラを提供することを目的とする。
【課題を解決するための手段】
【０００８】
本発明によると、上記課題を解決するために、
（１）  被写体からの可視光を受けてそれに応じた信号と、カメラ外部からのリモートコントロール信号光を受けてそれに応じた信号とを出力可能である一つの受光素子と、
上記受光素子から出力される上記可視光に応じた信号に基づいて第１の測光値を出力する第１の測光手段と、
上記受光素子から出力される上記信号光に応じた信号に基づいて第２の測光値を出力する第２の測光手段と、
上記第１及び第２の測光手段から出力される上記第１及び第２の測光値を比較し、上記可視光に応じた信号に基づいて得られた上記第１の測光値より上記リモートコントロール信号光に応じた信号に基づいて得られた上記第２の測光値が所定値以上大きい場合に夕日を背景としていると判断する制御手段と、
を有することを特徴とするリモートコントロールカメラが提供される。
【０００９】
また、本発明によると、上記課題を解決するために、
（２）  上記制御手段は、上記第１の測光値をＢ２とし、上記第２の測光値をＢ１とし、αを撮影条件としての赤外光が所定値より強い状況かどうかを判定するための係数とするとき、Ｂ１＞α×Ｂ２が成立するときには、赤外光が所定値より強いとして、夕日を背景としていると判断することを特徴とする（１）記載のリモートコントロールカメラが提供される。
【００１０】
また、本発明によると、上記課題を解決するために、
（３）上記制御手段は、夕日を背景としていると判断したときには、撮影モードを夕景モードに設定して露出をアンダーの露出に設定する手段を含むことを特徴とする（１）または（２）記載のリモートコントロールカメラが提供される。
【発明の効果】
【００１１】
本発明によれば、夕日を背景としていることを判定可能とし、小型化が可能なリモートコントロールカメラを提供することができる。
【発明を実施するための最良の形態】
【００１２】
本発明に係る実施の形態を説明する前に、まず、本発明の理解を容易にするために、本発明に係るリモートコントロールカメラの概念について説明する。
【００１３】
図１０は、本発明に係るリモコンカメラの概念を説明するための図である。
【００１４】
図１０に示すように、通常、カメラ本体２００には、撮影レンズ２０２の他、ストロボ２０４、ファインダ対物レンズ２０６、オートフォーカス（ＡＦ）用の窓２０８，２１０、露出を決めるための測光用の窓２１２、リモートコントロール（以下、リモコンと記す）信号光受光用の窓２１４が配置されている。
【００１５】
本発明は、上記リモコン信号光受光用の窓２１４を、測光用の窓２１２またはファインダ対物レンズ２０６，ストロボ２０４，オートフォーカス（ＡＦ）用の窓２０８，２１０などと共通にして、カメラ前面のスペースを確保しようとするものである。
【００１６】
しかし、一般に、赤外光を利用したリモコン用センサに太陽光や人工照明の可視光が混入すると、Ｓ／Ｎが劣化してリモコンの特性が劣化し、リモコン送信機による作動可能な距離が短くなったり、作動しなくなるといった不具合が生じてしまう。
【００１７】
そこで、本発明は、リモコンセンサにはフィルタやその他の光学手段により可視光が入らないようにして、リモコン性能を確保すると共に、カメラのその他の機能に負担をかけることなく、小型化を達成するものである。
【００１８】
以下、図面を参照して本発明の実施の形態を説明する。
【００１９】
図１の（ａ）は、本発明に係る第１の実施の形態のリモコンカメラの構成を示す図である。
【００２０】
図１の（ａ）において、リモコン送信機１０から発せられた赤外光は、受光素子１２の前方に設けられた電界制御複屈折セル（以下、ＥＣＢセルと記す）を積層してなる波長可変フィルタ１４を通過し、上記受光素子１２に入射する。赤外光を受光した受光素子１２は、電流信号を集積回路（以下、ＩＣと記す）１６に出力する。
【００２１】
このＩＣ１６は上記電流信号を増幅し、さらに電圧信号に変換して、この電圧信号をワンチップマイクロコンピュータなどからなる演算制御回路（以下、ＣＰＵと記す）１８に出力する。
【００２２】
なお、ＩＣ１６は、リモコン使用時においては波形成形機能を用いて上記電流信号をＨ（Ｈｉｇｈ）／Ｌ（Ｌｏｗ）のディジタル信号に変換して、このディジタル信号をＣＰＵ１８に出力し、測光時においては受光素子１２に入射している光の光量に応じたアナログ電圧をＣＰＵ１８に出力する。
【００２３】
このＣＰＵ１８は、内蔵のアナログ／ディジタル変換器にて測光時における上記アナログ電圧をディジタル電圧に変換して測光値の判定を行い、本カメラに装填されたフィルムの感度に応じて露出時間を決定する。このとき、ＣＰＵ１８は上記測光値の判定に従ってストロボ１９の発光制御も行う。続いて、ＣＰＵ１８はシャッタ回路２０を介して、シャッタ２２の開閉を制御する。こうして、撮影レンズ２４から入射した光がフィルム上に導かれる。
【００２４】
また、ＣＰＵ１８に設けられたリモコンスイッチ２６は、本カメラの動作モードを、リモコン送信機１０からの信号を受信する状態であるリモコンモードに設定するためのスイッチである。
【００２５】
なお、上記波長可変フィルタ１４は、ＥＣＢセルに印加する電圧を電圧印加回路２８により変化させることによって、透過する光の波長域を変えることができる波長可変フィルタである。
【００２６】
この波長可変フィルタ１４では、複屈折板と平行偏光子からなるＬｙｏｔ−ｆｉｌｔｅｒが複屈折率と複屈折板の厚さの関係によって、透過スペクトルのピークを制御するという性質を利用している。
【００２７】
上記複屈折板を電気的に制御可能なＥＣＢセルに置き換えたものが、上記波長可変フィルタである。
【００２８】
上記ＥＣＢセルは、透明電極付きのガラスでネマティック液晶をサンドイッチ構造に挟持したものである。
【００２９】
図２は、上記波長可変フィルタ１４の構成を示す図である。
【００３０】
図２に示すように、３つのＥＣＢセルＬＣ1 ，ＬＣ2 ，ＬＣ3 の両側またはそれらの間には、平行偏光子Ｐ1 ，Ｐ2 ，Ｐ3 ，Ｐ4 が配置され、さらに、ＥＣＢセルＬＣ1 ，ＬＣ2 ，ＬＣ3 には電圧印加回路が接続されている。
【００３１】
そして、ＥＣＢセルＬＣ1 ，ＬＣ2 ，ＬＣ3 に各々電圧Ｖ1 ，Ｖ2 ，Ｖ3 を印加することにより、透過波長を制御する。
【００３２】
すなわち、図１の（ａ）に示すリモコンカメラおいて、リモコンスイッチ２６のオンにより、このリモコンカメラがリモコンモードに設定されると、波長可変フィルタ１４は赤外光のみ透過するように制御され、太陽光をカットする。
【００３３】
これにより、リモコン送信機１０からのリモコン信号光である赤外光のみを透過させ、Ｓ／Ｎのよい上記赤外光を受光素子１２に導く。
【００３４】
図１の（ｂ）は、本発明に係る第１の実施の形態のリモコンカメラにおける測光時の様子を示す図である。
【００３５】
図１の（ｂ）において、波長可変フィルタ１４は電圧印加回路２８により可視光のみを透過するように制御される。これにより、被写体３０の明るさに基づく光が受光素子１２に入射する。
【００３６】
次に、本発明に係る第１の実施の形態のリモコンカメラの動作について説明する。
【００３７】
図３は、本発明に係る第１の実施の形態のリモコンカメラの動作としてのＣＰＵ１８の処理を示すフローチャートである。
【００３８】
まず、ＣＰＵ１８は、リモコンスイッチ２６の操作によってリモコンモードに設定されているか否かを判定する（ステップＳ１）。
【００３９】
ここで、リモコンモードに設定されているときは、図２に示したＥＣＢセルＬＣ1 ，ＬＣ2 ，ＬＣ3 への印加電圧Ｖ1 ，Ｖ2 ，Ｖ3 を各々Ｖ10，Ｖ20，Ｖ30とし（ステップＳ２）、波長可変フィルタ１４を赤外光のみを透過するフィルタとする。
【００４０】
つづいて、ＣＰＵ１８は、リモコン信号光の検出を行い、リモコン信号光が検出されたら（ステップＳ３）、ステップＳ５へ移行する。
【００４１】
一方、上記ステップＳ１にて、リモコンモードに設定されていないときは、ＣＰＵ１８は、レリーズ操作が行われたか否かを判定し、レリーズ操作が行われたら（ステップＳ４）、ステップＳ５へ移行する。
【００４２】
このステップＳ５では、ＥＣＢセルＬＣ1 ，ＬＣ2 ，ＬＣ3 への印加電圧Ｖ1 ，Ｖ2 ，Ｖ3 を各々Ｖ11，Ｖ21，Ｖ31とし（ステップＳ５）、可視光の所定の波長域の光のみを透過するフィルタとする。これにより、受光素子１２には上記所定の波長域の光のみが入射する。
【００４３】
ＣＰＵ１８は、上記所定の波長域の光に基づいて、受光素子１２、ＩＣ１６を介して測光を行い、測光値ＢＶ1 を得る（ステップＳ６）。
【００４４】
次に、ＥＣＢセルＬＣ1 ，ＬＣ2 ，ＬＣ3 への印加電圧Ｖ1 ，Ｖ2 ，Ｖ3 を上記ステップＳ５での電圧と異なる電圧の各々Ｖ12，Ｖ22，Ｖ32とし（ステップＳ７）、可視光のうち上記ステップＳ５での波長域の光と異なる所定の波長域の光のみを透過するフィルタとする。これにより、受光素子１２には上記所定の波長域の光のみが入射する。
【００４５】
ＣＰＵ１８は、上記所定の波長域の光に基づいて、受光素子１２、ＩＣ１６を介して測光を行い、測光値ＢＶ2 を得る（ステップＳ８）。
【００４６】
これは、波長可変フィルタ１４が狭い帯域の波長しか透過できないことに対する対策である。
【００４７】
つづいて、ＣＰＵ１８は、これら測光値ＢＶ1 ，ＢＶ2 の結果に基づいて、露出を決定する（ステップＳ９）。
【００４８】
なお、波長可変フィルタ１４が可視域全体の光を透過できるように構成できれば、このような複数回の測光値を求める処理は不要となる。
【００４９】
次に、測距を行い測距情報を得る（ステップＳ１０）。この測距情報に応じて、被写体に対してピント合せを行い、つづいて露光シーケンスを実行する（ステップＳ１１）。そして、本処理を終了する。
【００５０】
以上説明したように本発明に係る第１の実施の形態においては、電気的に波長透過域を変化させることが可能な波長可変フィルタを用いているため、この波長可変フィルタを構成するＥＣＢセルへの印加電圧の制御により、さまざまな波長域の光を選択して測光を行うことができる。
【００５１】
これによって、本発明に係る第１の実施の形態のリモコンカメラでは、被写体の色までを加味した、より高精度な露出制御やストロボ制御が可能となる。
【００５２】
また、本発明に係る第１の実施の形態のリモコンカメラでは、測光用の受光素子とリモコン用の受光素子とを共用できるため、受光窓、受光素子、及びその他の部材を減らすことができる。
【００５３】
同様に、本発明に係る第１の実施の形態のリモコンカメラでは、赤外光利用の測距用の受光素子と露出測光用の受光素子とを共用することも可能である。
【００５４】
さらに、本発明に係る第１の実施の形態のリモコンカメラでは、赤外光利用のアクティブ方式ＡＦの受光素子と、可視光利用のパッシブ方式ＡＦの受光素子とを共用することも可能である。
【００５５】
次に、本発明に係る第２の実施の形態のリモコンカメラについて説明する。
【００５６】
上記第１の実施の形態ではフィルタの透過特性を変えるのに複雑な電気回路と最新の液晶素子を利用したが、この第２の実施の形態では、従来から知られている可視光カットフィルタと、受光素子の受光面の設計技術を利用してより単純な構成として上記第１の実施の形態と同様の効果を達成する。
【００５７】
図４の（ａ）は、本発明に係る第２の実施の形態のカメラの構成を示す図である。
【００５８】
図４の（ａ）において、受光レンズ４０は、第１及び第２の受光素子としての機能を有する２つの受光面４２ａ，４２ｂを備えたセンサ４２に、被写体からの光を集光して入射させる働きを持つ。
【００５９】
センサ４２は、それぞれ、Ｅ字型の第１及び第２の受光素子としての機能を有する２つの受光面４２ａ，４２ｂをワンチップ上に組み合せたものであり、片方の受光面４２ａ上には可視光カットフィルタとしての機能を有するフィルムが張り付けられている。
【００６０】
図４の（ｂ）は、上記センサ４２の断面構造を示す模式図である。
【００６１】
図４の（ｂ）において、シリコンなどからなる受光素子チップ４４には、第１及び第２の受光素子としての機能を有する受光面４２ａ，４２ｂが形成されている。
【００６２】
上記受光素子チップ４４の周囲には、透明モールドパッケージ４６が形成され、この透明モールドパッケージ４６の側面には、第１及び第２の受光素子の出力を独立して検出するための電極としての機能を有するリードフレーム４８、４８が配置されている。
【００６３】
さらに、受光面４２ａへの入射光が通過するモールドパッケージ４６上面の領域には、可視光カットフィルタとしての機能を有するフィルム５０が貼り付けられている。なお、この受光面４２ａはリモコン信号光の受光用である。
【００６４】
このように構成されたリモコンカメラにおいては、受光レンズ４０を通過した光はセンサ４２へ入射する。
【００６５】
このとき、センサ４２の一方の受光面４２ａの入射光軸上にはフィルム５０が設けられているため、上記光のうちの可視光成分がカットされ、受光面４２ａにはリモコン信号光の赤外光のみが入射する。
【００６６】
また、センサ４２の他方の受光面４２ｂには、受光レンズ４０を通過した光がそのまま入射する。すなわち、受光面４２ｂには、赤外光と可視光が共に入射する。
【００６７】
つづいて、受光面４２ａからは、受光した赤外光に応じた信号がリモコン処理回路５２ａ、測光回路５２ｂにそれぞれ出力される。
【００６８】
リモコン処理回路５２ａ、測光回路５２ｂは、受け取った上記信号を処理して、それぞれの処理結果及び測光結果をＣＰＵ５４に出力する。一方、受光面４２ｂからは受光した光に応じた信号が測光回路５２ｃに出力される。
【００６９】
測光回路５２ｃは、受け取った上記信号を処理して、その測光結果をＣＰＵ５４に出力する。
【００７０】
また、ＣＰＵ５４には、リモコンモード設定用スイッチ５６と、求められた測光値によりシャッタを制御するためのシャッタ回路５８が接続されている。
【００７１】
以上により、受光面４２ａの定常的な出力を測光回路５２ｂを介してＣＰＵ５４に出力すれば、被写体の赤外光の輝度を求めることができる。
【００７２】
また、受光面４２ｂからの出力を測光回路５２ｃを介してＣＰＵ１０に出力すれば、被写体の赤外光と可視光との和の輝度が求められる。
【００７３】
これにより、２つの測光回路５２ｃ，５２ｂの出力差より、被写体の可視光の光量が算出できる。
【００７４】
次に、第２の実施の形態のリモコンカメラの動作について説明する。
【００７５】
図５は、第２の実施の形態のリモコンカメラの動作としてのＣＰＵ５４の処理を示すフローチャートである。
【００７６】
まず、ＣＰＵ５４は、リモコンスイッチ５６の操作によってリモコンモードに設定されているか否かを判定する（ステップＳ３１）。
【００７７】
ここで、リモコンモードに設定されているときには、受光面４２ａ、リモコン処理回路５２ａにてリモコン信号光の検出を行い、リモコン信号光が検出されたら（ステップＳ３３）、ステップＳ３４へ移行する。
【００７８】
一方、上記ステップＳ３１にて、リモコンモードに設定されていないときには、ＣＰＵ５４は、レリーズ操作が行われたか否かを判定し、レリーズ操作が行われたら（ステップＳ３２）、ステップＳ３４へ移行する。このステップＳ３４では、不図示の測距装置の出力に従って、被写体距離が求められる。
【００７９】
つづいて、測光回路５２ｂ，５２ｃを用いた測光を行い、それぞれの測光結果を測光値Ｂ１，Ｂ２とする（ステップＳ３５，Ｓ３６）。
【００８０】
次に、ＣＰＵ５４は、Ｂ１＞α×Ｂ２が、成立するか否かについて判定する（ステップＳ３７）。
【００８１】
ここで、αは撮影条件を判定するための所定の係数であり、夕日などを背景に撮影している場合などの赤外光が所定値より強い状況かどうかを判定するためのものである。
【００８２】
Ｂ１＞α×Ｂ２が成立するときには、赤外光が所定値より強いときであり、夕日などを背景に撮影していると判断することができる。
【００８３】
このときには、夕景モードに設定し、夕日が白く飛んでしまわないようにアンダーの露出設定にして（ステップＳ４０）、ステップＳ３９へ移行する。
【００８４】
このように、赤外測光と可視測光を組み合せて、より適確な露出を可能とするのが本実施の形態の１つの利点である。
【００８５】
一方、上記ステップＳ３７にて、Ｂ１＞α×Ｂ２が成立しないときは、上記測光値Ｂ2 とＢ1 の差より可視光の輝度を測定し、この結果から露出を決定して（ステップＳ３８）、ステップＳ３９へ移行する。
【００８６】
ステップＳ３９では、以上にて求めた被写体距離に応じて不図示のピント合せ用レンズを駆動して被写体にピントを合せ、さらに、求めた測光値に応じてシャッタ回路５８を介して不図示のシャッタを制御して露光を行う。そして、本処理を終了する。
【００８７】
以上説明したように本発明に係る第２の実施の形態のリモコンカメラは、図１に示した上記第１の実施の形態のリモコンカメラより、単純で、かつ、廉価な構成とすることができる。
【００８８】
また、本発明に係る第２の実施の形態のリモコンカメラでは、受光面４２ａからの出力は、赤外光のみによるものであるため、太陽光や人工照明などの影響を受けることなく高性能のリモコン機能を働かせることができる。
【００８９】
次に、本発明に係る第３の実施の形態のリモコンカメラについて説明する。
【００９０】
図６の（ａ）は、本発明に係る第３の実施の形態のリモコンカメラの構成を示すブロック図である。
【００９１】
図６の（ａ）において、受光レンズ４０を通過した光がダイクロイックミラー６０に到達すると、このダイクロイックミラー６０にて赤外光のみが透過され、リモコン用センサ６２ａに入射する。
【００９２】
一方、上記受光レンズ４０を通過した光のうち、可視光のみがダイクロイックミラー６０にて反射され、露出用センサ６２ｂに入射する。
【００９３】
上記赤外光によるリモコン用センサ６２ａからの出力は、リモコン処理回路６４ａにて処理され、ＣＰＵ６６に出力される。
【００９４】
上記可視光による露出用センサ６２ｂからの出力は、測光（ＡＥ）処理回路６４ｂにて処理され、ＣＰＵ６６に出力される。
【００９５】
また、ＣＰＵ６６には、求められた測光値によりシャッタを制御するためのシャッタ回路６８が接続されている。
【００９６】
なお、上述したようにダイクロイックミラー６０は、赤外光を透過し、可視光を反射するという波長依存特性を有するものである。
【００９７】
このダイクロイックミラー６０を用いることにより、リモコン用センサ６２ａには太陽光などの可視光を入射させることなく赤外光のみを入射させ、一方、露出用センサ６２ｂには赤外光を入射させることなく可視光のみを入射させるという設計が可能となる。
【００９８】
以上説明したように本発明に係る第３の実施の形態のリモコンカメラにおいては、上記第１，第２の実施の形態と同様に高精度のリモコン機能と正確な露出制御とを単一の受光レンズ４０を用いて達成することができる。
【００９９】
また、本発明に係る第３の実施の形態のリモコンカメラでは、ダイクロイックミラー６０の波長選択特性によって赤外光と可視光の選択を行うため、リモコン用センサ６２ａや露出用センサ６２ｂに特別な光学フィルタなどを取り付ける必要がなく、これによりコストを低減することができる。
【０１００】
さらに、本発明に係る第３の実施の形態のリモコンカメラでは、リモコン用センサ６２ａと露出用センサ６２ｂの各センサを独立して設計することが可能であるため、最適のリモコン検知域、測光領域を設定することができる。
【０１０１】
特に、多分割測光など、センサを分割して視野内の異なる領域の測光を行うカメラの場合、この第３の実施の形態ではリモコンのことを考慮せずに、露出用センサ６２ｂを設計することができる。
【０１０２】
ただし、図４に示した上記第２の実施の形態でも、図６の（ｂ）に示すようなセンサにすることにより多分割測光に対応することも可能である。
【０１０３】
このセンサは、リモコン用受光面７０ａと、露出用に独立した受光面７０ｂ，７０ｃ，７０ｄからなる。
【０１０４】
上記ダイクロイックミラー６０はさらに次のような応用も可能であり、これを本発明に係る第４の実施の形態のリモコンカメラとして説明する。
【０１０５】
図７の（ａ）は、本発明に係る第４の実施の形態のリモコンカメラの特徴である受光部の構成を示す図である。
【０１０６】
この第４の実施に形態のリモコンカメラでは、カメラのファインダ対物レンズと、リモコン受光窓とを兼用したものである。
【０１０７】
図７の（ａ）において、対物レンズ８０を通過した光がダイクロイックミラー８２に到達すると、このダイクロイックミラー８２にて赤外光のみが透過され、リモコン用センサ８４ａに入射する。
【０１０８】
一方、上記対物レンズ８０を通過した光のうち、可視光のみがダイクロイックミラー８２にて反射され、レンズ８６、プリズム８８、さらにファインダ接眼レンズ９０を介して観察者の目９２に入射する。
【０１０９】
上記赤外光によるリモコン用センサ８４ａからの出力は、リモコン処理回路９４ａにて処理され、ＣＰＵ９６に出力される。
【０１１０】
上記プリズム８８は、図７の（ｂ）に示すような形を有しており、入射光の光路を折り曲げてスペースをかせぐために独特の形状をしている。
【０１１１】
ダイクロイックミラー８２は上述したように波長依存性を有しており、リモコン信号光である赤外光を透過し、可視光を反射するものである。
【０１１２】
以上説明したように本発明に係る第４の実施の形態のリモコンカメラでは、ファインダ画面中心部に最もリモコン信号光に対する感度の強い部分が位置することから、リモコン送信機の操作者は画面中心に写ることが可能である。
【０１１３】
次に、本発明に係る第５の実施の形態のリモコンカメラについて説明する。
【０１１４】
図８は、本発明に係る第５の実施の形態のリモコンカメラの特徴である受光部の構成を示す図である。
【０１１５】
この第５の実施の形態のリモコンカメラでは、カメラのストロボ窓を介してリモコン信号光を受光するものである。
【０１１６】
図８において、フレネルレンズ１００を通過した光は反射傘１０２にてキセノン放電管（Ｘｅ管）１０４に向けて反射され、さらに、このキセノン放電管１０４にて反射され、リモコン用センサ１０６ａに入射する。
【０１１７】
ここで、リモコン用センサ１０６ａの受光面には可視光カットフィルタを設け、リモコン用センサ１０６ａに赤外光のみが入射するようにする。
【０１１８】
上記赤外光によるリモコン用センサ１０６ａからの出力は、リモコン処理回路１０８ａにて処理され、不図示のＣＰＵに出力される。
【０１１９】
以上説明したように本発明に係る第５の実施の形態のリモコンカメラでは、フレネルレンズ１００と反射傘１０２の働きにより、広い範囲でリモコン信号光を受光することができるため、広い範囲においてリモコン送信機の操作が可能となる。
【０１２０】
次に、本発明に係る第６の実施の形態のリモコンカメラについて説明する。
【０１２１】
図９の（ａ）は、本発明に係る第６の実施の形態のリモコンカメラの特徴である受光部の構成を示す図である。
【０１２２】
図９の（ａ）において、投光用レンズ１１０を通過した光は、パッケージ１１２内のリモコン用センサ１１２ａに入射する。
【０１２３】
ここで、このリモコン用センサ１１２ａは赤外発光ダイオード（以下、ＩＲＥＤと記す）１１２ｂと同じガリウム砒素（ＧａＡｓ）のチップで構成されている。
【０１２４】
上記第１乃至第５の実施の形態では、リモコン用センサにはコスト的に有利なシリコンからなるものを用いていたが、本第６の実施の形態ではリモコン用センサとしてガリウム砒素製のものを用いる。
【０１２５】
このガリウム砒素製のものは、赤外光のみをよく感知するため、赤外光を信号光とするリモコンに対してよく反応するという利点を有している。
【０１２６】
したがって、リモコン用センサ１１２ａからの出力はリモコン信号光の赤外光に依存するものとなる。この出力は、リモコン処理回路１１４ａにて処理され、ＣＰＵ１１６に出力される。
【０１２７】
また、ＣＰＵ１１６はオートフォーカス用集積回路（以下、ＡＦＩＣと記す）１１８とトランジスタ１２０を介してパッケージ１１２内のＩＲＥＤ１１２ｂを発光させ、投光用レンズ１１０を介して測距用光を投光する。
【０１２８】
この測距用光は被写体にて反射され、その反射信号光は受光レンズ１２２を介して光位置検出素子（以下、ＰＳＤと記す）１２４に入射する。
【０１２９】
この光位置検出素子１２４上の反射信号光の入射位置を検出し、三角測距の原理によって被写体距離を求める。
【０１３０】
ここで、ＡＦＩＣ１１８はＰＳＤ１２４の出力信号電流を増幅演算する機能を持つアナログＩＣである。
【０１３１】
図９の（ｂ）は、上記パッケージ１１２の構成を示す斜視図である。
【０１３２】
図９の（ｂ）に示すように、このパッケージ１１２内のガリウム砒素の同一チップ上にはリモコン用センサ１１２ａとＩＲＥＤ１１２ｂが形成されている。
【０１３３】
ＩＲＥＤ１１２ｂは一般的にガリウム砒素で作られるため、リモコン用センサ１１２ａとＩＲＥＤ１１２ｂを同一チップとして構成すれば、同一パッケージ１１２に封入することができ、製造が容易なものとなる。
【０１３４】
以上説明したように、本発明に係る第６の実施の形態のリモコンカメラでは、リモコン用センサ１１２ａを形成する素子自身が可視光カット特性を有するため、特に光学的なフィルタは不要である。
【０１３５】
また、本発明に係る第６の実施の形態のリモコンカメラでは、上述したように同一チップ上に２つの機能の光半導体を構成しパッケージングしているため、部品管理及び組立が容易である。
【０１３６】
以上に述べたように、上記の各実施の形態によれば、小型のカメラの中に、高性能のリモコン用受光素子を無理なくレイアウトできるため、デザイン的にすぐれたカメラを実現することができる。
【０１３７】
また、カメラ前部の窓の数を減らし、レイアウトの自由度を増すことにより、小型化及びデザイン的にすぐれたカメラを実現することができる。
【０１３８】
また、上記第２の実施の形態によれば、例えば、小型のカメラの中に、高性能のリモコン用受光素子を無理なくレイアウトできるため、デザイン的にすぐれたカメラの実現に寄与する受光センサを提供することができる。
【０１３９】
なお、本発明の上記第２の実施態様によれば、以下のごとき構成が得られる。
【０１４０】
（１）被写体からの可視光を受けてそれに応じた信号と、カメラ外部からのリモートコントロール信号光を受けてそれに応じた信号とを出力可能である一つの受光素子と、
上記受光素子から出力される上記可視光に応じた信号に基づいて第１の測光値を出力する第１の測光手段と、
上記受光素子から出力される上記信号光に応じた信号に基づいて第２の測光値を出力する第２の測光手段と、
上記第１及び第２の測光手段から出力される上記第１及び第２の測光値を比較し、上記可視光に応じた信号に基づいて得られた上記第１の測光値より上記リモートコントロール信号光に応じた信号に基づいて得られた上記第２の測光値が所定値以上大きい場合に夕日を背景としていると判断する制御手段と、
を有することを特徴とするリモートコントロールカメラが提供される。
【０１４１】
（２）上記制御手段は、上記第１の測光値をＢ２とし、上記第２の測光値をＢ１とし、αを撮影条件としての赤外光が所定値より強い状況かどうかを判定する係数とするとき、Ｂ１＞α×Ｂ２が成立するときには、赤外光が所定値より強いとして、夕日を背景としていると判断することを特徴とする（１）記載のリモートコントロールカメラ。
【０１４２】
（３）上記制御手段は、夕日を背景としていると判断したときには、撮影モードを夕景モードに設定して露出をアンダーの露出に設定する手段を含むことを特徴とする（１）または（２）記載のリモートコントロールカメラ。
【図面の簡単な説明】
【０１４３】
【図１】図１の（ａ）は、本発明による第１の実施の形態のカメラの構成を示す図であり、図１の（ｂ）は、第１の実施の形態のカメラにおける測光時の様子を示す図である。
【図２】図２は、図１の波長可変フィルタ１４の構成を示す図である。
【図３】図３は、本発明による第１の実施の形態のカメラの動作としてのＣＰＵ１８の処理手順を説明するために示すフローチャートである。
【図４】図４の（ａ）は、本発明による第２の実施の形態のカメラの構成を示す図であり、図４の（ｂ）は、第２の実施の形態のカメラを構成するセンサ４２の断面構造を示す模式図である。
【図５】図５は、本発明による第２の実施の形態のカメラの動作としてのＣＰＵ５４の処理手順を説明するために示すフローチャートである。
【図６】図６の（ａ）は、本発明による第３の実施の形態のリモコンカメラの構成を示すブロック図であり、図６の（ｂ）は第２の実施の形態におけるセンサ４２を多分割測光に対応する構成とした図である。
【図７】図７の（ａ）は、本発明による第４の実施の形態のリモコンカメラの特徴である受光部の構成を示す図であり、図７の（ｂ）はこの受光部を構成するプリズム８８の形状を示す図である。
【図８】図８は、本発明による第５の実施の形態のリモコンカメラの特徴である受光部の構成を示す図である。
【図９】図９の（ａ）は、本発明による第６の実施の形態のリモコンカメラの特徴である受光部の構成を示す図であり、図９の（ｂ）はこの受光部のパッケージ１１２の構成を示す図である。
【図１０】図１０は、本発明に係るリモコンカメラの概念を説明するための図である。
【符号の説明】
【０１４４】
１０…リモコン送信機、１２…受光素子、１４…波長可変フィルタ、１６…集積回路（ＩＣ）、１８…演算制御回路（ＣＰＵ）、１９…ストロボ、２０…シャッタ回路、２２…シャッタ、２４…撮影レンズ、２６…リモコンスイッチ、２８…電圧印加回路、３０…被写体、４０…受光レンズ、４２…センサ、４２ａ，４２ｂ…受光面、４４…受光素子チップ、４６…透明モールドパッケージ、４８…リードフレーム、５０…フィルム、５２ａ…リモコン処理回路、５２ｂ…測光回路、５４…演算制御回路（ＣＰＵ）、５６…リモコンモード設定用スイッチ、５８…シャッタ回路、６０…ダイクロイックミラー、６２ａ…リモコン用センサ、６２ｂ…露出用センサ、６４ａ…リモコン処理回路、６４ｂ…測光（ＡＥ）処理回路、６６…演算制御回路（ＣＰＵ）、６８…シャッタ回路、７０ａ…リモコン用受光面、７０ｂ，７０ｃ，７０ｄ…受光面、ＬＣ1 ，ＬＣ2 ，ＬＣ3 …電界制御複屈折セル（ＥＣＢセル）、Ｐ1 ，Ｐ2 ，Ｐ3 ，Ｐ4 …平行偏光子。
【図１】
2004177975.tif 000003
【図２】
2004177975.tif 000004
【図３】
2004177975.tif 000005
【図４】
2004177975.tif 000006
【図５】
2004177975.tif 000007
【図６】
2004177975.tif 000008
【図７】
2004177975.tif 000009
【図８】
2004177975.tif 000010
【図９】
2004177975.tif 000011
【図１０】
2004177975.tif 000012